(57)【要約】【目的】  ファクシミリ信号の誤検出を防止することのできるＩＰ電話交換方法及びシステムを提供する。【構成】  少なくとも１つのＩＰゲートウェイ部を介してＩＰ構内交換機により収容される複数のアナログ内線端末のうちの１と外部端末との間に通話路を設定して呼接続をなすと共に、前記ゲートウェイ部が該通話路上のファクシミリ信号に対してはファクシミリ信号中継処理をなすＩＰ電話交換方法及びシステムであり、該１におけるファクシミリ機能の有無を判別し、該１にファクシミリ機能が無いと判別した場合に、前記ゲートウェイ部に対して該ファクシミリ信号処理の実行を停止する。【選択図】  図４
2007036692.tif 000002
【特許請求の範囲】
【請求項１】
少なくとも１つのＩＰゲートウェイ部を介してＩＰ構内交換機により収容される複数のアナログ内線端末のうちの１と外部端末との間に通話路を設定して呼接続をなすと共に、前記ゲートウェイ部が前記通話路上のファクシミリ信号に対してはファクシミリ信号中継処理をなすＩＰ電話交換方法であって、
前記１におけるファクシミリ機能の有無を判別する判別行程と、
前記１にファクシミリ機能が無いと判別した場合に、前記ゲートウェイ部に対して前記ファクシミリ信号処理の実行を停止する停止制御行程と、
を含むことを特徴とするＩＰ電話交換方法。
【請求項２】
前記アナログ内線端末の各々のファクシミリ機能の有無を登録した内線端末テーブルを予め保持する行程をさらに含み、前記判別行程は、前記内線端末テーブルに基づいて、前記１におけるファクシミリ機能の有無を判別する行程であることを特徴とする請求項１記載のＩＰ電話交換方法。
【請求項３】
前記ファクシミリ信号中継処理は、エコー信号除去処理を含まないことを特徴とする請求項１記載のＩＰ電話交換方法。
【請求項４】
前記ファクシミリ信号中継処理は、アナログ信号形式のファクシミリ信号とＩＰパケット形式のファクシミリ信号との間の変換をなす処理を含むことを特徴とする請求項１記載のＩＰ電話交換方法。
【請求項５】
複数のアナログ内線端末と、通話路上のファクシミリ信号に対してはファクシミリ信号中継処理をなす少なくとも１つのＩＰゲートウェイ装置と、前記複数のアナログ内線端末を前記ＩＰゲートウェイ装置を介して収容し且つ前記アナログ内線端末のうちの１と外部端末との間に前記通話路を設定して呼接続をなすＩＰ構内交換機とを、含むＩＰ電話交換システムであって、
前記ＩＰ構内交換機は、
前記１におけるファクシミリ機能の有無を判別する判別手段と、
前記１にファクシミリ機能が無いと判別した場合に、前記ゲートウェイ装置に対して前記ファクシミリ信号処理の実行を停止する停止制御手段と、
を含むことを特徴とするＩＰ電話交換システム。
【発明の詳細な説明】
【技術分野】
【０００１】
本発明は、ＩＰゲートウェイ装置あるいはメディアゲートウェイ装置と称されるゲートウェイ装置を介してＩＰ構内交換機に収容されるアナログ電話機またはファクシミリ（ＦＡＸとも表記する）装置等のアナログ内線端末とＩＰネットワークを介した外部端末との間の呼接続をなす電話交換方法及びシステムに関する。
【背景技術】
【０００２】
図１には、アナログ電話機及びＦＡＸ装置をＩＰ電話網に収容する一般的な構成が示されている。本図を参照すると、ＩＰ−ＧＷ装置３０ａには、アナログ電話機５０ａ及び５０ｂが繋がれると共にＦＡＸ装置５０ｃが繋がれている。ＩＰ−ＧＷ装置３０ａの３つのアナログポートの何れもアナログ電話機やＦＡＸ装置を任意に繋げられ得るものであって、各ポートはアナログ電話機専用あるいはＦＡＸ装置専用とするものではない。
【０００３】
従って、ＩＰ−ＧＷ装置３０ａは、通常の電話通話のみならずＦＡＸ通信にも対処するために、音声すなわちメディア通信中にＦＡＸ信号のアンサトーンを自律的に検出した場合には、会話による通常の音声通信からＴ．３８ＦＡＸ通信に切り替えたり、あるいはエコーキャンセラを停止してＧ．７１１みなしＦＡＸ通信に自動的に切り替えるようになっている。
【０００４】
ここで、例えば、２〜３ｍの如くアナログ電話機５０ｂとＦＡＸ装置５０ｃとの距離が近接している場合、アナログ電話機５０ｂ自身にＦＡＸ受信機能が備わっていなくとも、アナログ電話機５０ｂの送話口から近接するＦＡＸ装置５０ｃのＦＡＸ信号の拡声トーンが回り込んでしまう場合がある。かかる回り込みにより、ＩＰ−ＧＷ装置３０ａは、そのアナログ電話機５０ｂとの間のメディアパスにおいてＦＡＸ通信要求の発生を誤検出して、Ｔ．３８ＦＡＸ通信処理を起動してしまったり、Ｇ．７１１みなしＦＡＸ通信処理を起動してしまったりする。その結果、通話相手方の電話機でＦＡＸトーンが再生されたり、エコーキャンセラの動作停止によりエコーがひどくなったり、さらには通話が全く成り立たなくなってしまう場合がある。
【０００５】
この点、特許文献１は、受信時にはプロトコルの違いにより容易に電話とＦＡＸとの判別が可能であるとしつつ、送信時には、予め相手先電話番号に対応づけて電話処理及びＦＡＸ処理の何れかを指示したテーブルを用いて電話処理又はＦＡＸ処理を選択する技術が開示されている。
【特許文献１】特開２００３−１８３２８号公報
【発明の開示】
【発明が解決しようとする課題】
【０００６】
しかしながら、かかる技術は、他の装置から回り込んだＦＡＸ信号の誤検出に起因する問題を解決するものではない。また、相手先電話番号に対応して電話又はＦＡＸの何れかの処理が固定的になされることから、電話及びＦＡＸ双方の機能の何れの機能をも備える端末には対応することができない。
【０００７】
本発明の目的は、ファクシミリ信号の誤検出を防止することのできるＩＰ電話交換方法及びシステムを提供することである。
【課題を解決するための手段】
【０００８】
本発明によるＩＰ電話交換方法は、少なくとも１つのＩＰゲートウェイ部を介してＩＰ構内交換機により収容される複数のアナログ内線端末のうちの１と外部端末との間に通話路を設定して呼接続をなすと共に、前記ゲートウェイ部が該通話路上のファクシミリ信号に対してはファクシミリ信号中継処理をなすＩＰ電話交換方法であり、該１におけるファクシミリ機能の有無を判別する判別行程と、該１にファクシミリ機能が無いと判別した場合に、前記ゲートウェイ部に対して該ファクシミリ信号処理の実行を停止する停止制御行程とを含むことを特徴とする。
【０００９】
本発明によるＩＰ電話交換システムは、複数のアナログ内線端末と、通話路上のファクシミリ信号に対してはファクシミリ信号中継処理をなす少なくとも１つのＩＰゲートウェイ装置と、該複数のアナログ内線端末を該ＩＰゲートウェイ装置を介して収容し且つ該アナログ内線端末のうちの１と外部端末との間に該通話路を設定して呼接続をなすＩＰ構内交換機とを、含むＩＰ電話交換システムであり、該ＩＰ構内交換機は、該１におけるファクシミリ機能の有無を判別する判別手段と、該１にファクシミリ機能が無いと判別した場合に、前記ゲートウェイ装置に対して該ファクシミリ信号処理の実行を停止する停止制御手段とを含むことを特徴とする。
【発明の効果】
【００１０】
本発明によるＩＰ電話交換方法及びシステムによれば、他の装置からのファクシミリ信号再生音の回り込み等により発生するファクシミリ信号の誤検出を防止することができる。
【発明を実施するための最良の形態】
【００１１】
本発明の実施例について添付の図面を参照して詳細に説明する。
【００１２】
本実施例において、図１に示された通常の構成を前提とする。すなわち、ＩＰ−ＧＷ装置３０ａには、アナログ電話機５０ａ及び５０ｂが繋がれると共に、ＦＡＸ装置５０ｃが繋がれている。ＩＰ−ＧＷ装置３０ｂには、公衆電話網（ＰＳＴＮ）４０が繋がれている。ＩＰ−ＧＷ装置３０ａ及びＩＰ−ＧＷ装置３０ｂは、ＩＰネットワークであるＬＡＮ２０を介してＩＰ構内交換機１０（以下、ＩＰ−ＰＢＸ１０と称する）に繋がれている。ＩＰ−ＧＷ装置３０ａ及びＩＰ−ＧＷ装置３０ｂは、アナログ電話機５０ａ及び５０ｂ並びにＦＡＸ装置５０ｃの如きアナログ内線端末を収容し、アナログ信号形式の音声信号またはファクシミリ信号とＩＰパケット形式の音声信号またはファクシミリ信号に変換して、これを通話路であるメディアパスを介して中継するゲートウェイ機能を構成し、ＩＰ−ＰＢＸ１０から呼制御指示およびメディアパス制御指示に基づいて動作する。
【００１３】
図２は、本発明におけるＩＰ−ＰＢＸ１０のより詳細の構成を示している。ここで、ＩＰ−ＰＢＸ１０は、ＩＰネットワークであるＬＡＮ２０との間でＩＰパケットの通信を行うＩＰインタフェース部１１と、呼制御部１２と、内線端末テーブル１３とを含んでいる。
【００１４】
呼制御部１２は、ＩＰ−ＧＷ装置３０ｂに収容される公衆電話網４０を介した多数の端末（図示せず）、並びにＩＰ−ＧＷ装置３０ａに収容されるアナログ電話機５０ａ及び５０ｂ並びにＦＡＸ装置５０ｃのうちの２端末間の呼制御を行う。かかる呼制御には、ＩＰネットワークにおける１つのノードを構成するＩＰ−ＧＷ装置３０ａとＩＰ−ＧＷ装置３０ａとのセッション確立を呼制御プロトコルに基づいて実行した上で、ＩＰ−ＧＷ装置３０ａ及びＩＰ−ＧＷ装置３０ｂに収容される各端末間に直接の音声信号経路すなわちメディアパスを形成するメディアパス制御を含む。呼制御部１２は、さらに、内線端末テーブル１３の設定内容に従ってＩＰ−ＧＷ装置３０ａに収容される各端末毎のメディアパスの各々におけるＦＡＸ監視動作を可動または非可動とする制御をなす機能を有する。
【００１５】
内線端末テーブル１３は、ＩＰ−ＧＷ装置３０ａに収容される各端末毎にそのターミナル番号に対応づけて電話／ＦＡＸ識別（"VOICE"または"FAX"）が設定される。例えば、ターミナル番号＃０００２の端末は、電話／ＦＡＸ識別として、"VOICE"/"FAX"が設定され、ＦＡＸ兼用電話機であることを示している。ターミナル番号＃０００３の端末は、電話／ＦＡＸ識別として、"FAX" が設定され、ＦＡＸ専用端末であることを示している。
【００１６】
図３は、本発明におけるＩＰ−ＧＷ３０ａのより詳細の構成を示している。ここで、ＩＰ−ＧＷ３０ａは、その基本的構成として、ＩＰネットワークであるＬＡＮ２０との間でＩＰパケットの通信を行うＩＰインタフェース部３１と、メディアパスの制御を行うメディアパス制御部３２と、収容し得る端末数に従った数、すなわち本実施例では３つの端末毎処理部３３ａ〜３３ｃを含んでいる。端末毎処理部３３ａ〜３３ｃの各々は同一の機能構成を有する。端末毎処理部３３ａ〜３３ｃは、アナログ電話機５０ａ、アナログ電話機５０ｂ及びＦＡＸ装置５０ｃの各々に繋がれて、メディアパス制御部３２の制御の下に各端末毎にメディアパスを形成して、音声通話またはＦＡＸ通信を実現する。本図においては、端末毎処理部３３ａについてのみ詳細に示している。
【００１７】
端末毎処理部３３ａについて参照すると、端末毎処理部３３ａは、アナログ回線を介した通常の電話通信を可能とするアナログ回線インタフェース（Ｉ／Ｆ）３４と、アナログ回線上のアナログ信号とＰＣＭ信号との相互変換をＩＴＵ勧告Ｇ．７１１規格に従って行うＧ．７１１コーデック３５と、入出力信号の切り替えをなす２つのセレクタ３６ａ及び３６ｂと、相手方の音声信号の一部が送信音声信号に重畳して発生するエコー現象を解消するエコーキャンセラ３７と、ＦＡＸ動作時に、ファクシミリ信号中継機能を実現するＩＴＵ規格Ｔ．３８に基づくＦＡＸ通信を実現するＴ．３８ＦＡＸ処理部３８と、ＦＡＸ監視部３９とを含む。
【００１８】
ＦＡＸ監視部３９は、メディアパス上のＦＡＸ信号を監視してアンサートーンの如きＦＡＸ信号を検出する機能を有する。ＦＡＸ監視部３９は、かかるＦＡＸ信号を検出した場合、２つのセレクタ３６ａ及び３６ｂを制御して、メディアパス制御部からの入出力信号を、エコーキャンセラ３７からＴ．３８ＦＡＸ処理部３８に切り替える。
【００１９】
尚、Ｔ．３８ＦＡＸ処理部３８に代えて、同様にファクシミリ信号中継機能を実現するＧ．７１１みなしＦＡＸ通信を行う構成も可能であり、その場合にはＦＡＸ信号の検出に応じて、エコーキャンセラの動作を停止するようにする。ここで、みなしＦＡＸ通信とは、ＦＡＸ信号を音声としてそのままＩＰパケットに詰めて送る方式を意味する。
【００２０】
図４は、本発明よるＦＡＸ信号誤検出方法を実現する処理手順を示している。ここで、ＩＰ−ＧＷ装置３０ａに収容された１つのアナログ電話機５０ａから、ＩＰ−ＧＷ装置３０ｂに収容された公衆電話網を介した外部の電話機に向けて発信動作を行うものとする。また、ＦＡＸ通信は、Ｔ．３８ＦＡＸ処理に代えてＧ．７１１みなしＦＡＸ通信を行うものとして以下説明する。
【００２１】
先ず、ＩＰ−ＧＷ装置３０ａは、アナログ電話機５０ａからのオフフック動作に応じて、ループ検出信号をＩＰ−ＰＢＸ１０に向けて送信する（ステップＳ０１）。次いで、アナログ電話機５０ａからのダイヤリング操作に応じて、ＩＰ−ＧＷ装置３０ａはダイヤル信号をＩＰ−ＰＢＸ１０に向けて送信する（ステップＳ０２）。
【００２２】
ダイヤル信号の受信に応じて、ＩＰ−ＰＢＸ１０は、相手方のＩＰ−ＧＷ装置３０ｂに向けて発呼信号を送信する（ステップＳ０３）。この発呼信号を受信したＩＰ−ＧＷ装置３０ｂは、公衆網に対し発呼要求を行い、公衆網から受信した信号情報をＩＰ−ＰＢＸ１０に通知する（ステップＳ０４）。これにより、ＩＰ−ＧＷ装置３０ａとＩＰ−ＧＷ装置３０ｂとの間でＩＰネットワーク上のセッションが確立される。
【００２３】
次に、ＩＰ−ＰＢＸ１０は、内線端末すなわちアナログ電話機５０ａの電話機／ＦＡＸ種別を内線端末テーブル１３（図２参照）から参照する（ステップＳ０５）。ここで、ＩＰ−ＰＢＸ１０は電話機／ＦＡＸ種別を判別する（ステップＳ０６）。もし電話機／ＦＡＸ種別として"FAX"の指定がある場合には、ＩＰ−ＰＢＸ１０は、音声符号化方式としてＧ．７１１規格を指定し且つ「ＦＡＸ監視あり」を指定するパス要求をＩＰ−ＧＷ装置３０ａに対して行う（ステップＳ０７）。一方、アナログ電話機５０ａの電話機／ＦＡＸ種別が"VOICE""である場合には、ＩＰ−ＰＢＸ１０は符号化方式としてＧ．７１１規格を指定し且つ「ＦＡＸ監視なし」を指定するパス要求をＩＰ−ＧＷ装置３０ａに対して行う（ステップＳ０８）。
【００２４】
ＩＰ−ＧＷ装置３０ａは、「ＦＡＸ監視あり」を指定するパス要求を受信した場合には、ＦＡＸ監視部の動作を継続する。これにより、その後、ＦＡＸ監視部がＦＡＸ信号を検知した場合には当該メディアパスにおけるエコーキャンセラの動作を停止することとなる。一方、「ＦＡＸ監視なし」を指定するパス要求を受信した場合には、当該メディアパスにおけるＦＡＸ監視部の動作を停止する（ステップＳ０９）。
【００２５】
ＩＰ−ＰＢＸ１０は、ＩＰ−ＧＷ装置３０ｂに対して「ＦＡＸ監視あり」を指定するパス要求を発行した場合においては、ＩＰ−ＧＷ装置３０ｂに対して音声符号化方式としてＧ．７１１規格を指定し且つ「ＦＡＸ監視あり」を指定したパス要求を発行する（ステップＳ１１）。一方、ＩＰ−ＧＷ装置３０ａに対して「ＦＡＸ監視なし」を指定するパス要求を発行した場合においては、ＩＰ−ＧＷ装置３０ｂに対して音声符号化方式としてＧ．７１１規格を指定し且つ「ＦＡＸ監視なし」を指定したパス要求を発行する（ステップＳ１０）。これにより、ＩＰ−ＧＷ装置３０ａに収容されたアナログ電話機５０ａとＩＰ−ＧＷ装置３０ｂを介して繋がる相手先の電話機との間に直接的な通話路すなわちメディアパス（Ｇ．７１１パス）が確立される（ステップＳ１２）。
【００２６】
このメディアパスの確立により、ＩＰ−ＧＷ装置３０ａのアナログ電話機５０ａとＩＰ−ＧＷ装置３０ｂの相手先電話機との間で、Ｇ．７１１みなしＦＡＸを含む音声信号を送受信することが可能となる。この際に、ＩＰ−ＧＷ装置３０ａとＩＰ−ＧＷ装置３０ｂとの間はＲＴＰ（Real-time Transport Protocol）及びＲＴＣＰ（RTP Control Protocol）により音声パケットが送受信される。
【００２７】
ここで、アナログ電話機５０ａの受話口に、近くに置かれたＦＡＸ装置から、ＦＡＸ装置識別のためのＣＮＧ信号が回り込んだと仮定する（ステップＳ１３）。かかるＣＮＧ信号は、ＩＰ−ＧＷ装置３０ａのメディアパスに伝わるが、当該メディアパスの設定がＦＡＸ監視なしの場合には、ＦＡＸ信号の検知をしないため、ＩＰ−ＧＷ装置３０ａはエコーキャンセラの動作を継続する（ステップＳ１４）。すなわち、このＣＮＧ信号はＩＰ−ＧＷ装置３０ａにおいて無視されることでＧ．７１１みなしＦＡＸ通信処理が動作することなく、エコーキャンセラが動作していることから正常な通話が可能となっている。ＩＰ−ＰＢＸ３０ｂについても同様である（ステップＳ１５及びＳ１６）。
【００２８】
以上の実施例から明らかなように、本発明によるＩＰ電話交換システムにおいては、ＩＰ−ＰＢＸ内に内線端末毎にＦＡＸ通信を行うか否かの情報として内線端末テーブルが予め保持されている。発信時又は受信時に、内線側の端末がＦＡＸ通信可能である場合、エコーキャンセラの動作は停止され、一方、ＦＡＸ通信不可能である場合にはＦＡＸ信号の検出が停止され、ＦＡＸ信号を誤検出することなく電話通話上の不具合を回避して現在の通話を維持することができる。
【００２９】
尚、内線側の端末がＦＡＸ通信可能な端末と判断した場合も、ＦＡＸ信号を未だ検出していない限り電話通話を行うことが可能であり、ＦＡＸ兼用のアナログ電話機にも対応することができる。
【図面の簡単な説明】
【００３０】
【図１】ＦＡＸ装置やアナログ電話機を着脱自在に繋がれたＩＰ−  ＧＷ装置の通常の構成例を示しているブロック図である。
【図２】本発明におけるＩＰ−ＰＢＸ１０のより詳細の構成を示しているブロック図である。
【図３】本発明におけるＩＰ−ＧＷ３０ａのより詳細の構成を示しているブロック図である。
【図４】本発明よるＦＡＸ信号誤検出方法を実現する処理手順を示しているフローチャートである。
【符号の説明】
【００３１】
１０  ＩＰ−ＰＢＸ
１１  ＩＰインタフェース部
１２  呼制御部
１３  内線端末テーブル
２０  ＬＡＮ
３０ａ、３０ｂ  ＩＰ−ＧＷ装置
３１  ＩＰインタフェース部
３２  メディアパス制御部
３３ａ〜３３ｃ  端末毎処理部
３４  アナログ回線インタフェース（Ｉ／Ｆ）
３５  Ｇ．７１１コーデック
３６ａ、３６ｂ  セレクタ
３７  エコーキャンセラ
３８  Ｔ．３８ＦＡＸ処理部
３９  ＦＡＸ監視部
４０  公衆電話網（ＰＳＴＮ）
５０ａ、５０ｂ  アナログ電話機
５０ｃ  ＦＡＸ装置
【図１】
2007036692.tif 000003
【図２】
2007036692.tif 000004
【図３】
2007036692.tif 000005
【図４】
2007036692.tif 000006